(57)【特許請求の範囲】
【請求項１】
符号化されたディジタル映像データ、音声データをパケット化して伝送するディジタル変調波放送とＮＴＳＣアナログ変調波放送が混在する地上波放送の多方式対応受信装置において、
上記放送波のチャンネル選局を行い、選択された高周波信号を中間周波センタ周波数４４ＭＨｚのＩＦ信号（以下、ＩＦ信号と称す）に変換する中間周波変換手段と、
ＩＦ信号が供給されディジタルとアナログそれぞれの変調波をベースバンド信号に変換する変調波変換手段と、
前記ＩＦ信号のアナログＮＴＳＣ変調波の搬送波成分を抽出する搬送波成分抽出手段と、
抽出した搬送波成分からアナログ変調波とディジタル変調波のいずれであるかを判定する変調波判別手段と、
を備えたことを特徴とする多方式対応受信装置。
【請求項２】
請求項１に記載の多方式対応受信装置において、
上記選局されたＩＦ信号をさらに低域に周波数変換する周波数変換手段と、
そのＩＦ信号より低域に周波数変換された変調波信号の、アナログ変調波信号の搬送波成分を検出する搬送波成分検出手段と、
を備えたことを特徴とする多方式対応受信装置。
【請求項３】
請求項１に記載の多方式対応受信装置において、
アナログＮＴＳＣ変調波を復調するアナログＮＴＳＣ変調波復調回路と、
ディジタル変調波を復調するディジタル変調波復調回路とを備え、
前記アナログ変調波とディジタル変調波のいずれであるかの判定結果をもとに、復調信号処理回路を切り換える、
ことを特徴とする多方式対応受信装置。
【発明の詳細な説明】
【０００１】
【発明の属する技術分野】
本発明は、多方式対応受信装置に関するものであり、特に、映像及び音声情報を符号化してディジタル変調を行い伝送するディジタル地上波放送、ディジタルケーブル放送や、ＮＴＳＣアナログ放送の混在した変調波を受信する場合、どの変調方式であるかを自動判別して受信でき、またディジタル放送とアナログ放送をシームレスに選局する場合に、違和感なくスムーズに画面切り換えが可能な多方式対応受信装置に関する。
【０００２】
【従来の技術】
近年、テレビ放送はディジタル圧縮技術、ディジタル変復調技術等の進展により、ディジタル地上波放送や、ディジタルＣＡＴＶ放送のサービスが行われている。これらの放送では、映像はＭＰＥＧ２で符号化され、伝送にはディジタル変調方式が用いられている。即ち、北米での地上波放送では８ＶＳＢ変調方式、ディジタルＣＡＴＶ放送ではＱＡＭ方式がそれぞれ採用されていて、従来のＮＴＳＣアナログ放送と併せて放送されている。
【０００３】
以下、図面を参照しながら、ディジタル放送及びアナログ放送に対応する，従来の多方式対応受信装置の一例について説明する。
図９は、ディジタル地上波放送、ＮＴＳＣアナログ放送、ディジタルケーブル放送のそれぞれに対応する従来の多方式対応受信装置の構成例である。
まず、ディジタル地上波放送受信機に相当する部分の構成から説明する。
この受信装置は、端子９０から入力されたＲＦ変調波信号をチャンネル選局するチューナ９１、選局された変調波信号に帯域制限を施すＳＡＷ（Surface Acoustic Wave）フィルタ９２、変調波信号を増幅するＡＭＰ９３、ミキサを用いて変調波を検波する直交検波回路９４、検波信号の高域成分をカットするローパスフィルタ（以下、ＬＰＦと称す）９５、８ＶＳＢ復調処理を行うデジタルＶＳＢ復調回路９６、及びＭＰＥＧデコード映像信号処理を行うデジタル復号化映像処理回路９７を備える。
【０００４】
以上のように構成された、ディジタル地上波８ＶＳＢ受信装置の動作について説明する。チューナ９１でチャンネル選局された変調波は、ＩＦ信号となってＳＡＷフィルタ９２へ出力される。ＳＡＷフィルタ９２で或る決まった周波数特性に帯域制限が施された変調波は、ＡＭＰ９３で増幅され、直交検波回路９４へ入力される。
【０００５】
ここで、図１０に周波数領域で表現した８ＶＳＢディジタル変調波を示す。図１０に示すように、８ＶＳＢディジタル変調波はアナログＮＴＳＣ放送と同じ周波数帯域幅６ＭＨｚで伝送され、パイロット信号ｆｐが付加されている。
【０００６】
このため、直交検波回路９４で、パイロット信号に周波数と位相同期をかけた同期検波を行い、８ＶＳＢベースバンド信号に変換する。ベースバンド信号に落とされた８ＶＳＢ信号は、ＬＰＦ９５で高域成分がカットされて、ＶＳＢ復調回路９６へ出力され、ＶＳＢ復調回路９６で復調され、トランスポートデータに変換される。トランスポートデータはディジタル復号化映像処理回路９７で、ＭＰＥＧデコード処理及び映像処理が施され、アナログ映像信号となって端子１２１に出力され、スイッチ１２２および映像信号出力端子１２４を介して、モニタ等で表示される。
【０００７】
また、アナログ放送の受信機に相当する構成は、入力ＲＦアナログ変調波信号をチャンネル選局するチューナ９８、選局された変調波信号を増幅するＡＭＰ９９、搬送周波数に対して、対称なスロープ特性を有するナイキストフィルタ１００、搬送波に同期検波する直交検波回路１１１、検波後の信号に帯域制限を施すＬＰＦ１１２、及びアナログ映像信号処理部１１３を備える。
【０００８】
以下に、アナログＮＴＳＣ放送受信装置の動作について説明する。チューナ９８に入力されるアナログＲＦ変調波も８ＶＳＢディジタル放送波と同様にチャンネル選局され、ＩＦ信号となって出力される。ＩＦ信号となった信号は、ＡＭＰ９９で増幅されて、ナイキストフィルタ１００で帯域制限が施される。ナイキストフィルタ１００より出力された変調波信号は、直交検波回路１１１へ出力される。直交検波回路１１１は帯域制限をかけられた変調波中の搬送波に、周波数と位相ロックをかけて直交検波を行い、ビデオ信号としてＬＰＦ１１２へ出力する。ＬＰＦ１１２を通ったビデオ信号は、アナログ映像処理回路１１３に出力され、映像処理を施された後、スイッチ１２２及び端子１２４を介してモニタ等に出力され画像表示される。
【０００９】
ディジタルケーブル放送受信機に相当する部分の構成も同じように、チャンネル選局を行うチューナ１１４、ＱＡＭ変調波に帯域制限をかけるＳＡＷフィルタ１１５、ＱＡＭ変調波を増幅するＡＭＰ１１６、ＱＡＭ変調波を周波数コンバートする周波数変換器１１７、周波数変換された信号の高域成分をカットするＬＰＦ１１８、ＱＡＭ復調処理するデジタルＱＡＭ復調回路１１９、ＭＰＥＧデータの復号処理及び映像処理を行うディジタル復号化映像処理回路１２０を備える。
【００１０】
以下、ＱＡＭディジタル変調により伝送が行われる、ディジタルケーブル放送の受信装置の動作について説明する。ＱＡＭディジタルケーブル放送の場合も上記ディジタル８ＶＳＢ放送や、ＮＴＳＣアナログ放送と同様に、入力されるＲＦ信号をデジタル放送用チューナ１１４でチャンネル選局して、ＩＦ信号として出力する。そして、ＳＡＷフィルタ１１５で、ＩＦ信号に求められる周波数制限を施して、ＡＭＰ１１６へ出力する。ＩＦ信号はＡＭＰ１１６で増幅されて周波数変換器１１７へ出力される。周波数変換器１１７でＩＦ帯域よりさらに低域に周波数変換された、ＱＡＭ変調波信号は、ＬＰＦ１１８により高域成分がカットされた後、ディジタルＱＡＭ復調回路１１９に出力されて復号処理され、トランスポートデータとして、次段のディジタル復号化映像処理回路１２０に出力される。ディジタル復号化映像処理回路１２０は、トランスポートデータにＭＰＥＧデコード及び映像処理を施して、アナログ映像信号に変換し、これがスイッチ１２２及び端子１２４を介してモニタ等へ出力され、画像表示される。
【００１１】
【発明が解決しようとする課題】
ところで、従来、地上波放送はＮＴＳＣ等のアナログ放送だけであった。しかしながら、前述のように、近年、ディジタル伝送技術の進展により、ディジタル変調（特に北米では８ＶＳＢディジタル変調）を用いたディジタル地上波放送がスタートしている。またケーブルＴＶの分野においても、従来からのディジタルＱＡＭ変調を用いて、ディジタルケーブル放送サービスがスタートしている。
【００１２】
このような様々な伝送方式に対応する、多方式対応受信装置の従来の構成では、各変調方式に対して、それぞれ受信装置が独立した構成であり、地上波放送を受信する場合だけを取っても、ＮＴＳＣ等のアナログ放送と８ＶＳＢディジタル放送用の受信装置を、切り換える必要がある。またディジタルケーブル放送についても同じように、ＮＴＳＣアナログ放送やディジタル地上波放送と切り換える必要があり、受信ユーザがその都度、各方式に対応した受信装置に切り換えることは大変不便である。
【００１３】
また、同一のＭＰＵで各方式の放送を、シームレスに選局するシステムにおいても、ディジタル放送では、ディジタル復調処理、及びデータのデコードに時間がかかり、チャンネル選局してからモニタ等に画像が表示されるまでの時間に、アナログ放送の選局時に比べて大きな差がある。よって、アナログ放送番組とディジタル放送番組とをシームレスに選局する場合、特に高速にチャンネルアップダウン操作を行う場合など、受信ユーザにとって画面チェンジに時間がかかり、大変不便であった。
【００１４】
そこで、本発明は、８ＶＳＢディジタル放送と、ＮＴＳＣアナログ放送とが混在する放送波を受信する場合において、選局した変調波を自動的に判定して、その放送にあった適切な復調回路に自動的に切り換える、ユーザにとって使い勝手のよい多方式対応受信装置を提供することを目的としている。
【００１５】
また、ディジタルＱＡＭ変調波とディジタル８ＶＳＢ変調波とが混在する、ディジタルケーブル放送において、選局した変調波を自動的に判定して、その放送にあった適切な復調回路に自動的に切り換える、ユーザにとって使い勝手のよい多方式対応受信装置を提供することを目的としている。
【００１６】
さらに、複数のチューナ構成で各ディジタル放送とアナログ放送をシームレスに選局する場合、アナログ放送とディジタル放送混在で、高速にチャンネルアップダウンした場合や、アナログ放送チャンネルからディジタルチャンネルに切り換えた場合においても、スムーズに違和感なく、画面チェンジが出来る多方式対応受信装置を提供することを目的としている。
【００１７】
【課題を解決するための手段】
上記課題を解決するために、本願の請求項１に記載の多方式対応受信装置は、符号化されたディジタル映像データ、音声データをパケット化して伝送するディジタル変調波放送とＮＴＳＣアナログ変調波放送が混在する地上波放送の多方式対応受信装置において、上記放送波のチャンネル選局を行い、選択された高周波信号を中間周波センタ周波数４４ＭＨｚのＩＦ信号（以下、ＩＦ信号と称す）に変換する中間周波変換手段と、ＩＦ信号が供給されディジタルとアナログそれぞれの変調波をベースバンド信号に変換する変調波変換手段と、前記ＩＦ信号のアナログＮＴＳＣ変調波の搬送波成分を抽出する搬送波成分抽出手段と、抽出した搬送波成分からアナログ変調波とディジタル変調波のいずれであるかを判定する変調波判別手段と、を備えたことを特徴とする。
【００１８】
また、本願の請求項２に記載の多方式対応受信装置は、請求項１に記載の多方式対応受信装置において、上記選局されたＩＦ信号をさらに低域に周波数変換する周波数変換手段と、そのＩＦ信号より低域に周波数変換された変調波信号の、アナログ変調波信号の搬送波成分を検出する搬送波成分検出手段と、を備えたことを特徴とする。
【００１９】
また、本願の請求項３に記載の多方式対応受信装置は、請求項１に記載の多方式対応受信装置において、アナログＮＴＳＣ変調波を復調するアナログＮＴＳＣ変調波復調回路と、ディジタル変調波を復調するディジタル変調波復調回路とを備え、前記アナログ変調波とディジタル変調波のいずれであるかの判定結果をもとに、復調信号処理回路を切り換える、ことを特徴とする。
【００２０】
本発明の請求項１ないし３に記載の発明は、符号化されたディジタル映像データ、音声データをパケット化して伝送する、ディジタル地上波放送波とＮＴＳＣアナログ放送波とが混在する、地上波放送の受信装置であり、同一チューナでシームレスに両放送を選局して出力する、ＩＦ信号のＮＴＳＣ搬送波成分を検出して、選局した放送波に適した復調処理回路に自動的に切り換える、という作用を有するもである。
【００３７】
【発明の実施の形態】
(実施の形態１)
以下に、本願の請求項１、請求項２、及び請求項３の発明に対応する実施の形態1について、図１を用いて説明する。
図１はディジタル地上波放送とＮＴＳＣアナログ放送の両放送に対応した、多方式対応受信装置のブロック図を示す。
本多方式対応受信装置は、ＲＦ変調波が入力される端子１と、受信した変調波を選局するチューナ２と、チューナ２のＩＦ信号に周波数制限を与えるＳＡＷフィルタ３と、ＳＡＷフィルタ３のＩＦ出力をアナログ増幅するＡＭＰ4と、直交検波を行うミキサ５、６と、ミキサ５出力に、周波数制限を加えるＬＰＦ１１と、ディジタルＶＳＢ復調を行うディジタルＶＳＢ復調回路１３と、アナログ映像処理を行うアナログ映像処理回路１４と、ミキサ６の出力信号に帯域制限を加えるループフィルタ９と、ループフィルタ９からの制御信号により、周波数が制御された信号を発振するＶＣＯ１５と、ＶＣＯ１５の出力を９０°移相する９０°移相器と、ＩＦ信号中のアナログＮＴＳＣ信号の映像搬送波成分ｆｖを抽出するＮＴＳＣ搬送波ｆｖ抽出回路７と、ｆｖ成分が検出されたか否かを判定するｆｖ判定回路８と、ｆｖ判定回路８からの制御信号により、ＬＰＦ１１の出力をＶＳＢディジタル復調回路１３と、アナログ映像処理回路１４のいずれか一方に切り換えて出力するスイッチ１２と、から構成されている。
【００３８】
以上のように構成されたアナログ，ディジタル地上波放送の多方式対応受信装置の動作について説明する。
端子１から入力される変調波を、チューナ２でチャンネル選局して、ＩＦ信号として出力する。ＩＦ信号は、北米においてはセンター周波数４４ＭＨｚ、チャンネル帯域幅６ＭＨｚであり、チューナ２は、ディジタル８ＶＳＢ地上波放送、及びＮＴＳＣアナログ地上波放送とも、同じチャンネル帯域幅６ＭＨｚで、センター周波数４４ＭＨｚのＩＦ信号として出力する。チューナ２から出力されるＩＦ信号に、ある一定の周波数帯域制限をＳＡＷフィルタ３で与え、ＡＭＰ４へ出力する。ＡＭＰ４はＩＦ信号を或る振幅レベルになるように増幅してミキサ５，６へ出力する。ミキサ５では、ＩＦ信号中に存在する搬送波成分と等しい周波数のローカル信号Ｌｏが、ＶＣＯ１５から供給され、ＩＦ信号とローカル信号とを乗算することにより、検波処理を行いベースバンド信号として出力する。また、ミキサ６は、ＶＣＯ１５からのローカル信号Ｌｏを９０°移相器１０で位相を９０度変化させたローカル９０°信号（以下、Ｌｏ９０信号と称す）が供給され、ＩＦ信号とＬｏ９０とを乗算し検波する。
【００３９】
ＮＴＳＣアナログ放送と、ディジタル８ＶＳＢ放送のベースバンド信号には、直交成分は存在しないので、ミキサ６からのＩＦ信号と、Ｌｏ９０信号の乗算出力には、ＩＦ信号の搬送波成分の周波数誤差εが出力されることになる。ミキサ６から出力される周波数誤差εは、ループフィルタ９で帯域制限されて、周波数制御信号としてＶＣＯ１５へ出力される。従って、ＶＣＯ１５とローカルＬｏ９０信号と、ＩＦ信号中の搬送波成分との周波数誤差εと、ループフィルタ９の閉ループでＰＬＬ（Phase Locked Loop）が構成され、これが同期検波を行う。
【００４０】
また、ミキサ５から出力されるベースバンド信号は、高周波成分を除去するＬＰＦ１１に出力されて、スイッチ１２へ供給され、スイッチ制御信号ＳＷＣにより、アナログ・ディジタル変調波の信号処理に適した回路へ、スイッチされて出力される。即ち、選局された変調波の方式により、スイッチ１２は、ディジタル８ＶＳＢ方式の場合は、ディジタルＶＳＢ復調回路１３へ、ＮＴＳＣ方式の場合はアナログ映像処理回路１４へ、ＬＰＦ１１からのベースバンド信号を出力する。
【００４１】
ところで、スイッチ制御信号ＳＷＣは、以下の処理により生成される。即ち、ＡＭＰ4から出力されるＩＦ信号が、ＮＴＳＣ搬送波ｆｖ抽出回路７へ出力され、ＮＴＳＣ搬送波ｆｖ抽出回路７がＮＴＳＣ変調波の搬送波ｆｖ成分だけを取り出し、ｆｖ判定回路８へ出力する。ｆｖ判定回路８でＮＴＳＣ搬送波ｆｖ成分の閾値を設けて、ＮＴＳＣアナログ放送とディジタル８ＶＳＢ放送との変調波の違いにより、ＮＴＳＣアナログ放送を選局した時のみ、ｈｉｇｈ（ハイ）またはＬｏｗ（ロー）のいずれかになるようなスイッチ制御信号ＳＷＣを出力し、これをスイッチ回路１２へ出力する。このＳＷＣ信号によって、選局された変調波がＮＴＳＣアナログ放送の場合は、スイッチ１２が、これをアナログ映像処理回路１４へ自動的に切り換えて供給することになる。
【００４２】
図１１にＮＴＳＣアナログ放送の変調波を、図１０にディジタル８ＶＳＢ放送の変調波を示す。図１１のＮＴＳＣアナログ変調波は、チャンネル帯域幅６ＭＨｚにおいて、１．２５ＭＨｚのところに搬送波ｆｖを配置していることから、図１０に示す８ＶＳＢ変調波とは搬送波周波数成分の部分において明らかな違いがある。この周波数成分の違いによって、ｆｖ判定回路８でＮＴＳＣアナログ放送か、ディジタル８ＶＢＳ放送かが正確に判別できることになる。このことにより、チューナ２でチャンネル選局したＩＦ信号から自動的にアナログ放送波かディジタル放送波かを瞬時に、尚且つ自動的に検出判定出来ることになる。
【００４３】
このように、本実施の形態１の多方式対応受信装置によれば、アナログＮＴＳＣ放送、デジタル８ＶＳＢ放送を受信対象とし、これらを受信した時、その放送にあった適切な復調回路をへの切り換えを自動的に行うことができ、ユーザにとって使い勝手の良い、多方式対応受信装置を提供することができる。
【００４４】
また、図２はこの実施の形態１の変形例を示す。
図２にチューナ２で選局したＩＦ信号を、ディジタル検波する方式についての、構成ブロック図を示す。図１と同一番号のブロックについては説明を省略する。
図２の構成では、ＡＭＰ４で増幅されたＩＦ信号を、ミキサ５でローカル発振器１７からのローカル信号Ｌｏと乗算して、ＩＦ信号帯域より低周波領域に、変調波のままで周波数をダウンコンバートする。低周波領域にダウンコンバートされた変調波は、高域成分を除去するＬＰＦ１１を通り、Ａ／Ｄコンバータ１６へ入力される。Ａ／Ｄコンバータ１６でアナログ信号からディジタル信号へ変換された信号は、スイッチ回路１２で切り換えられ、それぞれの変調方式に適した、復調処理回路へ供給される。ここでＮＴＳＣ搬送波のｆｖ検出は、ＩＦ信号の周波数よりさらに低域周波数に変換された変調波を用いて、図１での説明と同様に、ＮＴＳＣ搬送波成分を検出判定して、スイッチ制御信号ＳＷＣを生成し、これをスイッチ回路１２へ出力する。このため、受信放送波を選局した後、瞬時に変調方式を自動的に判定して、適切な復調回路へ切り換えることが実現できるものである。
【００４５】
このように、本実施の形態１の変形例によれば、アナログＮＴＳＣ放送、デジタル８ＶＳＢ放送を受信対象とし、これらを受信した時、ＩＦ信号の周波数よりさらに低域周波数に変換された変調波を用いて、その放送にあった適切な復調回路をへの切り換えを自動的に行うことができ、ユーザにとって使い勝手の良い、多方式対応受信装置を提供することができる。
【００４６】
(実施の形態２)
以下に、本願の請求項４、請求項５、及び請求項６の発明に対応する実施の形態２について、図３を用いて説明する。
【００４７】
図３は、ディジタルＱＡＭ変調方式と、ディジタル８ＶＳＢ変調方式の両方式に対応する、多方式対応受信装置のブロック図を示す。
【００４８】
図において、受信したディジタル変調波を選局するチューナ２と、チューナ２のＩＦ信号に周波数制限を与えるＳＡＷフィルタ３と、ＳＡＷフィルタ３のＩＦ出力を増幅するＡＭＰ４と、直交検波処理を行うミキサ５、及び６と、ミキサ５の出力に周波数制限を加えるＬＰＦ１１と、ミキサ６の出力に周波数制限を加えるＬＰＦ３３と、ディジタルＶＳＢ復調を行うディジタルＶＳＢ復調回路１３と、ディジタルＱＡＭ復調を行うＱＡＭ復調回路３８と、ＱＡＭ変調波の搬送波に対する周波数誤差と位相誤差とを検出するΔｆ検出位相誤差検出回路３９と、ミキサ６の出力信号に帯域制限を加えるループフィルタ９と、Δｆ検出位相誤差検出回路３９の出力信号に帯域制限を加えるループフィルタ３６と、ループフィルタ９とループフィルタ３６の出力信号を切り換えるスイッチ回路３５と、スイッチ回路３５の出力信号を制御信号として、発振周波数が制御された信号を出力するＶＣＯ１５と、ＶＣＯ１５の出力を９０度移相する９０°移相器１０と、ＩＦ信号中のディジタル８ＶＳＢ変調波のパイロット信号成分を抽出する、パイロットｆｐ信号抽出回路３１と、ｆｐ成分の検出，判定を行うパイロット成分判定回路３２と、パイロット成分判定回路３２からの制御信号により、ディジタルＶＳＢ復調回路１３とディジタルＱＡＭ復調処理回路３８とを切り換える、スイッチ回路３７から構成されている。
【００４９】
以上のように構成された、ディジタルＶＳＢ放送とディジタルＱＡＭ放送の両放送に対応する，多方式対応受信装置の動作について説明する。
ディジタルＱＡＭ変調方式は、６４ＱＡＭや２５６ＱＡＭの多値変調を用いて、主にケーブル放送の分野に応用されている。北米ではケーブルＴＶの普及率が高く、全体の６５％近くを占めており、徐々にディジタルＱＡＭ変調方式のＣＡＴＶに移行してきている。また、地上波ディジタル放送では８ＶＳＢ変調方式でディジタル地上波放送が始まっており、ディジタルＣＡＴＶにディジタル８ＶＳＢ変調波をそのまま載せて伝送することが計画されている。
【００５０】
図３のブロック構成において、図１（実施の形態１）と同じ参照番号を付与したブロックについては同じ動作をするものであるので、その説明を省略する。
チューナ２でチャンネル選局されＳＡＷフィルタ３で周波数制限された変調波は、ＡＭＰ４で増幅されて、パイロットｆｐ信号検出回路３１に入力される。図１０に示したように、ディジタル８ＶＳＢ変調波は、変調波センター周波数より２．６９ＭＨｚ離れた周波数に、パイロット信号と呼ばれるキャリアが重畳されている。ｆｐ信号検出回路３１でこのパイロットｆｐ成分を抜き取り、パイロット成分判定回路３２へ出力する。パイロット成分判定回路３２では、パイロット信号成分に、ある閾値を設けて、パイロット成分が存在するかしないかを判定し、その判定結果に基づきスイッチ制御信号ＳＷＣを生成してスイッチ回路３５、及びスイッチ回路３７へこれを供給する。ここで、パイロット成分を検出した場合は、受信した放送波が８ＶＳＢ変調波であると判定して、スイッチ制御信号ＳＷＣにより、スイッチ回路３５ではｂ端子に接続するようにスイッチされ、スイッチ回路３７ではｆ端子、ｇ端子をそれぞれd端子、e端子と切り離すようにスイッチされる。このことにより、受信した放送波から自動的に８ＶＳＢ変調波の変調方式に適した復調回路１３へ切り換えることが出来る。また、ループフィルタ９とループフィルタ３６についても、受信した変調波の方式に適したループフィルタ９に自動的に切り換えられることになる。
【００５１】
一方、パイロット成分が検出できなかった時は、ＱＡＭディジタル変調波と判定され、スイッチ回路３５ではｃ端子、スイッチ回路３７ではｄ端子及びe端子に接続するようにスイッチされる。このことにより、ＱＡＭ変調方式に適した復調回路３８に切り換えることができることになる。
【００５２】
ここでディジタルＱＡＭ放送が入力された場合の動作は、チューナ２でチャンネル選局され、ＩＦ信号として出力する。ＩＦ信号は、ＳＡＷフィルタ３で周波数帯域制限を加えられてＡＭＰ４で増幅されミキサ５、６へ出力される。ＱＡＭ変調波はＩ、Ｑ信号の直交した成分があるため、ミキサ５でＶＣＯ１５からのローカル信号Ｌｏと乗算されベースバンドＩ信号を出力する。また、ミキサ６にはＶＣＯ１５からのローカル信号が、９０°移相器１０で９０度位相をシフトされたＬｏ９０信号が入力され、変調波と乗算されて直交成分ベースバンドＱ信号を出力する。Ｉ信号、Ｑ信号はそれぞれＬＰＦ１１、３３を通り、ともに高周波成分が除去されてスイッチ回路３７でスイッチされてＱＡＭ復調回路３８へ出力される。ＱＡＭ復調回路３８へ入力されたＩ、Ｑ信号は、Δｆ検出位相誤差検出回路３９に供給され、Δｆ検出位相誤差検出回路３９はＱＡＭ変調波の搬送波に対する周波数誤差成分を検出し、これを周波数誤差εqとしてループフィルタ３６へ出力する。
【００５３】
ループフィルタ３６は周波数誤差εqに帯域制限を加え、この帯域制限された信号がスイッチ回路３５を通り、ＶＣＯ１５の周波数制御信号として供給される。このＶＣＯ１５との閉ループでＰＬＬを構成して、フィードバック制御を行い、入力ＱＡＭ変調波の搬送波に同期した検波処理をミキサ５、６で行う。同期検波処理されたベースバンドＩ、Ｑ信号はＱＡＭ復調回路３８で復調される。
【００５４】
このように、本実施の形態２による多方式対応受信装置によれば、ディジタル８ＶＳＢ放送、ディジタルＱＡＭ放送を受信対象とし、これらを受信した時、その放送にあった適切な復調回路をへの切り換えを自動的に行うことができ、ユーザにとって使い勝手の良い、多方式対応受信装置を提供することができる。
【００５５】
また、図４は本実施の形態２の変形例を示す。
図４にチューナ２で選局したＩＦ信号をディジタル検波する方式についての構成ブロック図を示す。図３と同一番号のブロックについては説明を省略する。
図４の構成では、ＡＭＰ４で増幅されたＩＦ信号を、ミキサ５でローカル発振器１７からのローカル信号Ｌｏと乗算して、ＩＦ信号帯域より低周波領域に、変調波のままで周波数をダウンコンバートする。低周波領域にダウンコンバートされた変調波は、高域成分を除去するＬＰＦ１１を通り、Ａ／Ｄコンバータ１６へ出力される。Ａ／Ｄコンバータ１６でアナログ信号から、ディジタル信号へ変換された信号は、スイッチ回路１２で切り換えられて、それぞれの変調方式に適した復調処理回路へ供給される。ここで８ＶＳＢパイロット成分ｆｐの検出は、ＩＦ信号の周波数よりさらに低域周波数に変換された変調波を用いて、図３での説明と同様にパイロット成分ｆｐを検出判定して、スイッチ制御信号ＳＷＣを生成し、これをスイッチ回路１２へ供給する。このため、受信放送波を選局した後、瞬時に変調方式を自動的に判定して、適切な復調回路へ切り換えることが実現できるものである。
【００５６】
このように、本実施の形態２の変形例によれば、デジタル８ＶＳＢ放送、ディジタルＱＡＭ放送を受信対象とし、これらを受信した時、ＩＦ信号の周波数よりさらに低域周波数に変換された変調波を用いて、その放送にあった適切な復調回路をへの切り換えを自動的に行うことができ、ユーザにとって使い勝手の良い、多方式対応受信装置を提供することができる。
【００５７】
(実施の形態３)
以下に、本願の請求項７、請求項８、及び請求項９の発明に対応する実施の形態３について図５を用いて説明する。
図５は、ディジタル８ＶＳＢ波放送とＮＴＳＣアナログ放送との両方式に対応する多方式対応受信装置のブロック図を示す。これは、アナログ放送用とディジタル放送用の２つのチューナを有し、かつ同一のＣＰＵ５７でシステム全体を制御するものである。
図において、受信した放送波のディジタル放送波を選局するチューナ２と、チューナ２から出力のＩＦ信号に、周波数制限を与えるＳＡＷフィルタ３と、ＳＡＷフィルタ３の出力信号をディジタルＶＳＢ復調するディジタルＶＳＢ復調回路１３と、トランスポートデータをデコードするＴＳデコーダ５１と、ディジタルデータの復号映像処理を行う、ディジタル復号信号処理回路５２と、ディジタル復号処理された映像信号を出力する端子５３と、アナログ放送波を選局するチューナ５８と、チューナ５８出力のＩＦ信号に周波数制限を与えるＳＡＷフィルタ５９と、ＮＴＳＣ変調波の検波処理を行うアナログＮＴＳＣ復調回路５６と、アナログビデオ処理を行うアナログ映像信号処理回路１４と、アナログビデオ信号出力端子５４と、システム全体を制御するＣＰＵ５７と、ディジタル放送の映像信号と、アナログ放送の映像信号とを切り換える、スイッチ回路６０とから構成されている。
【００５８】
以上のように構成された、ディジタルＶＳＢ放送とアナログ放送に対応する多方式対応受信装置の動作について説明する。
図５のブロック構成において、実施の形態１と同じ参照番号を付与したブロックについては同じ動作をするもので、その説明は省略する。
まず、ディジタル８ＶＳＢ波放送を受信する場合は、ディジタルＶＳＢ復調回路１３でディジタル変調波が復調されてトランスポートデータとしてＴＳデコーダ５１に出力される。ＴＳデコーダ５１でトランスポートデータから映像データを取り出し、ディジタル復号処理回路５２へ出力する。ディジタル復号処理回路５２では、ＭＰＥＧデコード処理された映像データをアナログ映像信号として端子５３へ出力する。ここで、チャンネル選局および各ディジタル処理回路における制御はＣＰＵ５７から行われる。
【００５９】
また、アナログ放送を選局する場合も、ＣＰＵ５７からアナログ放送受信用チューナ５８を制御して、チャンネル選局する。チューナ５８のＩＦ信号出力は、ＳＡＷフィルタ５９で周波数帯域制限を加えられて、アナログＮＴＳＣ復調回路５６へ出力される。このアナログＮＴＳＣ復調回路５６で直交検波処理を行い、変調波からベースバンドビデオ信号に変換される。ビデオ信号に変換された信号は、アナログ映像信号処理回路１４へ入力され、アナログビデオ処理されて、アナログビデオ信号として出力端子５４へ出力される。
【００６０】
北米でのディジタル８ＶＢＳ地上波放送では、ディジタル放送が普及するまでの過渡期において、ディジタル放送番組もかなりの部分を、ＮＴＳＣアナログ放送で同一番組を同時放送することが義務付けられており、各放送局ではディジタル放送番組と並行して、同じ番組をアナログ放送で放送することになる。その場合、ディジタル放送では伝送データの中に、アナログ同時放送の番組と時間も、映像データといっしょに伝送することになり、ＥＰＧ（Electric Program Guide）等でユーザが確認できるようになる。
【００６１】
アナログ放送とディジタル放送の番組を二つのチューナを用いて同一のＣＰＵでシームレスに選局する場合、アナログ放送に比較してディジタル放送は、ディジタル復調およびディジタル復号処理に時間がかかり、チャンネル選局してから映像表示にいたるまでの時間が長くかかる欠点がある。そこで、ユーザがリモコン等でアナログ放送とディジタル放送をシームレスに高速でチャンネルサーチする場合の動作について説明する。図６にアナログ放送とディジタル放送の同時番組のチャンネル番号と番組表を取り込む際のＣＰＵ５７の制御動作についてのフローチャート図を示す。
【００６２】
ディジタル放送番組を選局したらステップ６００に入る。ステップ６００でディジタル放送番組を選局したらステップ６０１で、音声、映像データといっしょに伝送されてくるＥＰＧ情報を取得してステップ６０２へ移る。ステップ６０２でアナログ放送とディジタル放送の同時番組のチャンネル番号と時間割を調べて、同時番組が存在しない場合は、初めのステップ６００に戻り、常に伝送されてくるＥＰＧを監視し続ける。ステップ６０２でディジタル放送中に伝送されてくるデータのＥＰＧ情報から、アナログ同時放送番組が存在することが判明した場合は、ステップ６０３に移り、同時放送番組名、チャンネル番号、時間帯等を情報テーブルに格納する。この動作を常時繰り返して行うことで、常に最新のＥＰＧ情報に更新して行く。
【００６３】
図７に高速チャンネルサーチ時の、ＣＰＵ５７の制御動作のフローチャートを示す。
リモコン等でシームレスに、アナログ放送チャンネルとディジタル放送のチャンネルアップダウン操作を行うとステップ７００に移る。ここである一定時間を設定しておき、その時間内にチャンネルアップダウンコマンドが送られて来ていると判断した場合はステップ７０１へ移る。ステップ７０１では、ＥＰＧ情報を取得した格納情報テーブルを参照してステップ７０２へ移る。ステップ７０２で、高速サーチしている現在のチャンネルがディジタル放送でない場合はステップ７０５に飛んで、アナログ放送チューナの選局を行い、ステップ７０６へ移る。一方、ステップ７０２で高速サーチしている現在のチャンネルが、ディジタル放送である場合はステップ７０３へ移り、選択されている現在のチャンネルの番組に、アナログ同時放送が存在するかどうか調べて、アナログ同時放送が存在しない場合はステップ７０４へ移り、ディジタル放送チューナを選局する。同時放送が存在する場合はステップ７０５へ移り、アナログ放送用チューナを選局してステップ７０６へ移り、画面表示を行う。
【００６４】
この動作により、アナログ放送番組とディジタル放送番組を、シームレスにある一定時間内に高速チャンネルサーチをしている場合は、取得格納したＥＰＧから、高速でサーチしている現在のチャンネルが、ディジタル放送番組であっても、アナログ同時放送が存在している番組の場合は、アナログ放送に切り換えてチューナを選局して画面表示を高速に行うことにより、ユーザが、シームレスに高速でチャンネルアップダウンして、画面上で番組内容を確認しようとする場合に、ディジタル放送チャンネルを選局した時にも、番組内容を瞬時に画面表示を行うことが可能となり、違和感なくリモコン等で高速チャンネルサーチが出来るようになる。
【００６５】
このように、本実施の形態３の多方式対応受信装置によれば、アナログ放送番組とディジタル放送番組とを高速にチャンネルチェンジしても、ユーザに違和感無く高速に画面チェンジして、番組内容を見せることができる。
【００６６】
（実施の形態４）
以下、本願の請求項１０、請求項１１、及び請求項１２に対応する、実施の形態４について図８を用いて説明する。
図８はこの実施の形態４におけるＣＰＵ５７の制御動作を示すものである。
この実施の形態４による多方式対応受信装置のブロック構成については、実施の形態３で説明した構成と同じであり、ここでの説明は省略する。
【００６７】
同一のＣＰＵ５７で制御してアナログ放送番組とディジタル放送番組をシームレスに選局する操作時、チャンネル選局を行う時にステップ８００に入る。実施の形態３において図６を用いて説明したように、ステップ８０１で取得格納しているＥＰＧ情報を参照する。次にステップ８０２へ移り、選局したチャンネルがアナログ放送であるか否かを判断して、ディジタル放送の場合はステップ８０５に飛び、そのままディジタル放送チューナを選局する。
【００６８】
選局したチャンネルがアナログ放送チャンネルの場合はステップ８０３へ移り、アナログ放送とディジタル放送との同時放送であるかを調べて、同時放送が存在しない場合はステップ８０４へ移り、そのままアナログ放送チューナを選局して画面表示を行う。
【００６９】
一方、ディジタル放送との同時放送が存在する場合はステップ８０５へ移り、同時放送のディジタル放送チャンネルに切り換えてステップ８０６へ移り、ステップ８０６で選局されたアナログ放送番組から切り換えられた、同時放送中であるディジタル放送番組を画面表示する。
【００７０】
この動作により、アナログ放送とディジタル放送が混在した放送波をシームレスに受信する場合、ディジタル放送で伝送されるＥＰＧ情報から、アナログ放送番組を選局した時、ディジタル放送の同時放送番組が存在するときには、アナログ放送に比較して画質の良い、ディジタル放送番組に自動的に切り換えて画面表示を行うものである。またここでは、アナログ放送用チューナと、ディジタル放送用チューナとの二つのチューナ構成で、受信するシステムについて説明してきたが、同一のチューナ一つでアナログ、ディジタル両放送を受信選局するシステムにおいても、同じ動作をさせることが出来ることは明らかである。
【００７１】
このように、本実施の形態４の多方式対応受信装置によれば、アナログ放送を選局した場合でも、該番組がディジタル、アナログ同時放送の番組ならば、自動的にディジタル放送に切り換えて、画質の良い画面表示をすることができる。
【００７２】
(実施の形態５)
以下に、本願の請求項１３、請求項１４、及び請求項１５の発明に対応する実施の形態５について図１３を用いて説明する。
図１３はこの実施の形態５におけるＣＰＵ５７の制御動作を示すものである。ブロック構成については、図５に示した実施の形態３で説明した構成と同じであり、ここでの説明は省略する。
【００７３】
同一のＣＰＵ５７で制御して、アナログ放送とディジタル放送とをシームレスに選局する受信装置で、チャンネル選択をした時、ステップ９００に入る。次に実施の形態３の図６を用いて説明したように、取得格納しているＥＰＧ情報を参照するステップ９０１へ移り、アナログ放送とディジタル放送の同時放送番組とチャンネル番号及び時間割を調べてステップ９０２へ移る。ステップ９０２でチャンネル選局された番組がディジタル放送か否かを判断して、ディジタル放送でない場合はステップ９０９でアナログ放送チューナを選局してステップ９１０へ移り、アナログ放送番組を画面表示する。一方、選択チャンネルがディジタル放送の場合はステップ９０３へ移り、アナログ放送との同時番組であるかどうかを判断して、同時放送が存在する場合はステップ９０４へ移り、同時放送中であるアナログ放送番組を選局してステップ９０５へ移り、アナログ放送番組を画面表示する。次にステップ９０６に移り、アナログ放送を画面表示しながらディジタル放送用チューナで、ディジタル放送番組をチャンネル選局してステップ９０７へ移る。ステップ９０７でディジタル放送番組のＭＰＥＧデコードが終了したかどうかを検出して、ＭＰＥＧデコードが終了したことを検出する信号にデータストリーム中のＰＴＳデータを用いてＣＰＵ５７でＰＴＳを検出した時、ＰＴＳのデータの値を設定してその値と伝送されてくるデータとが一致したと同時にステップ９０８へ移り、先行して画面表示していたアナログ放送番組から切り換えて、ディジタル放送番組の画面表示を行う。なお、ＰＴＳ信号とはＭＰＥＧ２規格で決められている再生出力時刻の管理情報を表す制御信号のことである。
【００７４】
この動作により、アナログ放送とディジタル放送混在の放送波をシームレスに受信する場合、ディジタル放送番組を選局した時、予め取得格納しているＥＰＧ情報から、そのディジタル放送番組がアナログ放送と同時放送かを調べて、同時放送の場合は先行してアナログ放送番組を選局する。アナログ放送はディジタル放送に比較して、チャンネル選局から画面表示にいたる時間がかなり高速なので、ディジタル放送より早く、ユーザにまずチャンネル選局した番組を画面に映し出すことが出来る。また、アナログ放送を画面表示しながら、ディジタル放送用チューナでディジタル放送チャンネルを選局して、データのデコード処理が終わったことを検出すると同時に、アナログ放送画面からディジタル放送画面に切り換えることで、受信ユーザに違和感なくアナログ放送番組とディジタル放送番組をシームレスに選局受信して画面表示が可能になる。
【００７５】
このように、本発明の形態５の多方式対応受信装置によれば、ディジタル放送のデコード終了まで、アナログ放送を先に画面に表示しておくので、アナログ放送チャンネルからディジタルチャンネルに切り替えた場合においても、スムーズに違和感無く画面チェンジができる。
【００７６】
【発明の効果】
以上のように、本願の請求項１に記載の多方式対応受信装置によれば、符号化されたディジタル映像データ、音声データをパケット化して伝送するディジタル変調波放送とＮＴＳＣアナログ変調波放送が混在する地上波放送の多方式対応受信装置において、上記放送波のチャンネル選局を行い、選択された高周波信号を中間周波センタ周波数４４ＭＨｚのＩＦ信号（以下、ＩＦ信号と称す）に変換する中間周波変換手段と、ＩＦ信号が供給されディジタルとアナログそれぞれの変調波をベースバンド信号に変換する変調波変換手段と、前記ＩＦ信号のアナログＮＴＳＣ変調波の搬送波成分を抽出する搬送波成分抽出手段と、抽出した搬送波成分からアナログ変調波とディジタル変調波のいずれであるかを判定する変調波判別手段と、を備えるようにしたので、アナログ放送，デジタル放送のいずれを受信する場合でも、その放送にあった適切な復調回路に自動的に切り替えることができ、ユーザにとって使い勝手の良い、多方式対応受信装置を提供することができるという効果が得られる。
【００７７】
また、本願の請求項２に記載の多方式対応受信装置によれば、請求項１に記載の多方式対応受信装置において、上記選局されたＩＦ信号をさらに低域に周波数変換する周波数変換手段と、そのＩＦ信号より低域に周波数変換された変調波信号の、アナログ変調波信号の搬送波成分を検出する搬送波成分検出手段と、を備えるようにしたので、アナログ放送，デジタル放送のいずれを受信する場合でも、その放送にあった適切な復調回路に自動的に切り替えることができ、ユーザにとって使い勝手の良い、多方式対応受信装置を提供することができるという効果が得られる。
【００７８】
また、本願の請求項３に記載の多方式対応受信装置によれば、請求項１に記載の多方式対応受信装置において、アナログＮＴＳＣ変調波を復調するアナログＮＴＳＣ変調波復調回路と、ディジタル変調波を復調するディジタル変調波復調回路とを備え、前記アナログ変調波とディジタル変調波のいずれであるかの判定結果をもとに、復調信号処理回路を切り換える、ようにしたので、その放送にあった適切な復調回路に自動的に切り替え、ユーザにとって使い勝手の良い、多方式対応受信装置を提供することができるという効果が得られる。
【図面の簡単な説明】
【図１】本発明の実施の形態１における多方式対応受信装置を示す        ブロック図。
【図２】本発明の実施の形態１における多方式対応受信装置の変形例を示すブロック図。
【図３】本発明の実施の形態２における多方式対応受信装置を示すブロック図。
【図４】本発明の実施の形態２における多方式対応受信装置の変形例を示すブロック図。
【図５】本発明の実施の形態３における多方式対応受信装置を示すブロック図。
【図６】本発明の実施の形態３、４、５にかかるＥＰＧ情報取得のフローチャート図。
【図７】本発明の実施の形態３の動作を示すフローチャート図。
【図８】本発明の実施の形態４の動作を示すフローチャート図。
【図９】従来の多方式対応受信装置を示すブロック図。
【図１０】ディジタルＶＳＢ放送の変調波を示す図。
【図１１】ＮＴＳＣアナログ放送の変調波を示す図。
【図１２】ディジタルＱＡＭ放送の変調波を示す図。
【図１３】本発明の実施の形態５の動作を示すフローチャート図。
【符号の説明】
１  ＲＦ変調波入力端子
２  チューナ
３  ＳＡＷフィルタ
４  アナログアンプ
５  ミキサ
６  ミキサ
７  ＮＴＳＣ搬送波ｆｖ抽出回路
８  ｆｖ判定回路
９  ループフィルタ
１０  ９０°移相器
１１  ローパスフィルタ
１２  スイッチ
１３  ディジタルＶＳＢ復調回路
１４  アナログ映像信号処理部
１５  電圧制御発振器
１６  Ａ／Ｄコンバータ
１７  発振器
３１  パイロットｆｐ信号抽出回路
３２  パイロット成分判定回路
３３  ローパスフィルタ
３５  スイッチ
３７  スイッチ
３８  ディジタルＱＡＭ復調回路
３９  Δｆ検出位相誤差検出回路
５１  トランスポートデコーダ
５２  ディジタルデータ信号処理回路
５３  ディジタル放送映像出力端子
５４  アナログ放送映像出力端子
５５  映像信号出力端子
５６  アナログＮＴＳＣ復調回路
５７  ＣＰＵ
５８  アナログ放送用チューナ
５９  アナログ放送用ＳＡＷフィルタ
６０  映像信号切り換えスイッチ
６００  ディジタル放送受信検出処理ステップ
６０１  ＥＰＧ情報取得処理ステップ
６０２  同時放送番組検出処理ステップ
６０３  番組、時間表、チャンネル番号情報格納処理ステップ
７００  時間内複数チャンネル選択検出処理ステップ
７０１、８０１、９０１  ＥＰＧ番組情報テーブル参照処理ステップ
７０２  ディジタル放送選択検出処理ステップ
７０３、８０３、９０３  同時放送番組検出処理ステップ
７０４  ディジタル放送チューナ選局処理ステップ
７０５  アナログ放送チューナ選局処理ステップ
７０６、８０６、９０８  画面表示処理ステップ
８００  チャンネル選局検出処理ステップ
８０２  アナログ放送チャンネル選局検出処理ステップ
８０４  アナログ放送チューナ選局処理ステップ
８０５  ディジタル放送チューナ選局処理ステップ
９０  入力端子
９１、１１４  ディジタル放送用チューナ
９２  ディジタルＶＳＢ放送用ＳＡＷフィルタ
９３、９９、１１６  アナログ増幅器
９４、１１１  アナログ直交検波器
９５、１１２、１１８  ローパスフィルタ
９６  ディジタルＶＢＳ復調回路
９７、１２０  ディジタル復号化映像処理回路
９８  アナログ放送用チューナ
１００  アナログＮＴＳＣ用ナイキストフィルタ
１１３  アナログ映像処理回路
１１５  ディジタルＱＡＭ用ＳＡＷフィルタ
１１７  周波数変換ミキサ
１１９  ディジタルＱＡＭ復調回路
１２１  ディジタルＶＳＢ放送映像出力端子
１２２  アナログＮＴＳＣ映像出力端子
１２３  ディジタルＱＡＭ放送映像出力端子
１２４  映像信号出力端子
９００  チャンネル選局検出処理ステップ
９０２  ディジタル放送チャンネル検出処理ステップ
９０４  アナログ放送チューナ選局処理ステップ
９０５  アナログ放送画面表示処理ステップ
９０６  ディジタル放送チューナ選局処理ステップ
９０７  ディジタル放送番組データデコード終了検出処理ステップ
９０８  ディジタル放送画面表示処理ステップ
９０９  アナログ放送チューナ選局処理ステップ
９１０  アナログ放送画面表示処理ステップ
【図１】
0003540242.tif 000002
【図２】
0003540242.tif 000003
【図３】
0003540242.tif 000004
【図４】
0003540242.tif 000005
【図５】
0003540242.tif 000006
【図６】
0003540242.tif 000007
【図７】
0003540242.tif 000008
【図８】
0003540242.tif 000009
【図９】
0003540242.tif 000010
【図１０】
0003540242.tif 000011
【図１１】
0003540242.tif 000012
【図１２】
0003540242.tif 000013
【図１３】
0003540242.tif 000014